(57)【要約】      （修正有）【課題】浴室内使用を目的としたＬＥＤライト内臓のアロマポットでありながら蝋燭の炎のような揺らぎを持たせつつ内部に取り付けるフィルムの模様を外観に浮かび上がらせることを可能としたアロマポット兼用のバスライトを提供する。【解決手段】電池、少なくとも２個以上のＬＥＤライト１０、当該ＬＥＤライトの不規則な点滅を持たせるための制御装置、タイマーおよび電源スイッチ部分を収めた台座部分２と、その台座部分に防水的に接合できるドーム状上蓋部分１とから構成され、内部には低部において一体的に接合された内部容器体３が設けられて上蓋体との間に空間を持つように構成され、それぞれはドーム内の光を透過することができる材料で構成されている、またドーム状上蓋部分の上部には開放された窪みを持ち、また上記内部容器体の周壁には模様柄が印刷されたフィルム状のスティック体が系止できるようにも構成されていることを特徴とする。【選択図】図１
0003157608.tif 000002
【実用新案登録請求の範囲】
【請求項１】
電池、少なくとも２個以上のＬＥＤライト、当該ＬＥＤライトの不規則な点滅を持たせるための制御装置および電源スイッチ部分を収めた台座部分と、その台座部分に防水的に組合わせ・接合できる上蓋部分とから構成され、当該上蓋部分内部にはその底部において一体的に接合された内部容器体が設けられて当該上蓋部分との間に空間を持つように構成され、両者は上蓋部分内の光を透過することができる材料で構成されている、当該上蓋部分の上部には開放された窪みを持ち、また当該内部容器体の内周壁には模様柄が印刷されたフィルム状のスティック体が系止できるように構成されていることを特徴とするアロマポット兼用のバスライト。
【請求項２】
上記上蓋部分がドーム状であることを特徴とする請求項１に記載のアロマポット兼用のバスライト。
【請求項３】
上記上蓋部分の光透過材料がプラスチックまたはセルロイドであることを特徴とする請求項１または２に記載のアロマポット兼用のバスライト。
【考案の詳細な説明】
【技術分野】
【０００１】
本考案は、浴室内を癒しの空間に変えるアロマポット兼用のバスライトに関する。
【背景技術】
【０００２】
従来、アロマの香りを楽しむ為のアロマポットは、エッセンシャルオイルを入れた容器を直接加熱するか又は白熱電球にて温める事によって香りを揮発させるものが一般的であった。
【考案の開示】
【考案が解決しようとする課題】
【０００３】
本考案は、お風呂等で使用する事を前提として上部の窪みにお湯とオイルを一緒に入れ、本物品自体を浴槽に浮かべる事で全体を暖めて香りを発散させる物であり、バスライトとしてはＬＥＤライトにて蝋燭の炎の揺らぎ感を再現した事で内部に収めたフィルムの模様を本体に映し出した際に内部で蝋燭を灯している様な感覚を浴室にて楽しむ事が出来ることを目的とする。
【課題を解決するための手段】
【０００４】
本考案は、電池、少なくとも２個以上のＬＥＤライト、当該ＬＥＤライトの不規則な点滅を持たせるための制御装置および電源スイッチ部分を収めた台座部分と、その台座部分に防水的に組合わせ・接合できる上蓋部分とから構成され、当該上蓋部分内部にはその底部において一体的に接合された他の容器体が設けられて当該上蓋体との間に空間を持つように構成され、それぞれは上蓋内の光を透過することができる材料で構成されている、そして当該上蓋部分の上部には開放された窪みを持ち、また上記内部容器体の内周壁には模様柄が印刷されたフィルム状のスティック体が系止できるようにも構成されていることを特徴とするアロマポット兼用のバスライトに関する。
【０００５】
以下、本考案について詳しく説明する。
本考案にかかるアロマポット兼用のバスライトは、図１（全体断面構成図）に示されるように、上蓋部分（１）と台座部分（２）から構成されている。上蓋部分（１）は、その底部において防水的に接合された内部容器体（３）を有しており、上蓋部分内面と内部容器体外面との間の空間に水が注水できるように注水口（４）が構成されている。この空間部分へ注入される水の量と台座部分に内臓される重り（後述する）とのバランスにより、バスライトを浴槽内で浮かすことから沈めることまで調整することが可能となる。内部容器体（３）の底部内周壁には、模様柄が印刷されたフィルム状のスティック体が系止できるような収納空間を有するように構成されている。そして上蓋部分（１）の上部には芳香剤がお湯と共に収納できる窪み部分（５）が配され、更にその上部にはその窪み部分に敷設できる中央が円形状に欠けた上部蓋（６）が配されている。
上蓋部分（１）、上部蓋（６）は乳白色で光透過のプラスチックまたはセルロイド製であり、特にポリプロピレン製であることが好ましい。内部容器体（３）は透明なプラスチック、例えばＡＢＳ樹脂製であり、そして注水口（４）のゴム栓は、例えばシリコンゴムで製造されたものである。
内部容器体（３）内に収容される模様柄が印刷されたフィルム状のスティック体は、可撓性のあるフィルム状スティック体で表面に模様柄印刷されたものであり、何種類かの模様体を取り替え自由に挿入できることから、これをリフィールフイルムと称する。
【０００６】
台座部分（２）については、図１（断面構成図）に示されるように、同じく上蓋部分（１）と防水的に一体的に嵌合できるＡＢＳ樹脂製のものであり、内底部には鉄板の重り（７）が内蔵、上部には例えばＡＢＳ樹脂製の電池ボックス（８）が配され、更にその上部に制御装置（電子基板等）を内包したＡＢＳ樹脂製の基板カバー（９）が配されている。そして照明用のＬＥＤライトは図１および図２で示されているように配される。台座部分内底部に内蔵される重り（７）は、前述したように、本考案物品を水面に浮かせた場合に全体のバランスをとるためのものとして働く。
【０００７】
以下に上記した本考案物品の各構成とその作用効果との関係を詳述する。
内部に装着したリフィールフィルムと上蓋部分までの距離を調整することにより、リフィールの模様を外観全体に広げることが可能となった。また上蓋部分に透明度を持たせつつ外側へのシボ加工をすることにより、よりすりガラスに近い外観を持たせることが可能となり、それにより、リフィールフィルムの模様がよりはっきりしたものとして発現することが可能ともなった。
更に、上蓋部分の窪み部分（５）の形状を図１に示されるような逆三角形にすることで光の遮りを軽減することとなり、リフィールフィルムの模様の映り込み部分を拡大することができた。上蓋部分内面と内部容器体外面との間の空間に水を出し入れすることで本考案物品を浴槽に浮かべる、沈める、あるいは水中を漂わせると言う使用形態の実現が可能となった。
なお、上蓋部分とそれに組合わせる内部容器体の構造は、図１ではドーム状の上蓋部分とそれに応じた内部容器体を示しているが、本考案においては、ドーム状に限らず、円筒形から筒型、砲弾型のいずれでも対応が可能であり、それに応じた様々なリフィールフィルムの模様の映り込みを楽しむことができる。
【０００８】
以下に、本考案の特徴点に関して更に具体的な態様を説明するが、これは本考案の好ましい一例に過ぎず何らこれに限定されるものではない。
台座底部に１１４グラムの重りを内蔵させることで、電池を入れた状態で水に浮かべたときに本考案物品本体の約半分が水から出た状態で水面に浮かべることができる。なお、この状態では本体にお湯とエッセンシャルオイルを入れた状態でもバランスが取れることとなる。
【０００９】
ＬＥＤライトの色は蝋燭の炎の色に近いものとなるような輝度、色度を調整したものをＬＥＤライトメーカーに特別注文したものを選択する。輝度２５００〜３０００ｍｃｄ、色度ｘ＝０．３９〜０．４７、ｙ＝０．３６〜０．４４、光角度７０〜９０度のものが適当である。ＬＥＤライトを使用して蝋燭の炎の強弱を出すためにはＬＥＤライト１個につき制御ＩＣを１個使用して不規則な点滅を２個のＬＥＤライトで同時に行うことで蝋燭の炎に近い強弱感を持たせることができた。図２に示すように、ＬＥＤライトを使用して蝋燭の炎の揺らぎ感を出すために２個のＬＥＤライトの距離を１５ｍｍ離すことで光の軸を２本にし、見えている光が入れ替わることで炎の揺らぎ感を実現することができた。
【考案の効果】
【００１０】
本考案によれば、アロマの香りが楽しめ、同時に蝋燭の炎の揺らぎを実現したＬＥＤライトにより、揺らぐリフィール柄を楽しめるアロマポット兼用のバスライトを提供できる。
【図面の簡単な説明】
【００１１】
【図１】本考案物品の全体断面構成図
【図２】本考案物品の台座部分の上面図
【図３】本考案物品でリフィール柄が反映された使用図
【実施例】
【００１２】
以下、実施例により本考案の態様を説明するが、本考案はこの実施例により限定されるものではない。
【００１３】
実施例
図１の上蓋部分の外側上部に設けた窪み部分（５）にお湯とエッセンシャルオイルを入れ上部の上部蓋（６）を付け、台座下部に設けられた電源スイッチ（図示せず）を押すことにより台座部のＬＥＤライト（１０）が発光して、上蓋部分表面に内部のリフィール柄が投影される（図３参照）。
（アロマポットとして）
図１の上蓋部分の外側上部に設けた窪み部分（５）に、お気に入りのエッセンシャルオイルをお湯と共に入れて香りを楽しむことができるものであり、合せて上蓋部分に投影されるリフィール柄の揺らぎにより、浴室内を一種の癒し空間の場と変えることができる。この場合、本考案物品は、浴室内に限らず寝室・リビング等あらゆるシーンで楽しむことができるものである。
（浴槽内に沈めたバスライトとして）
上蓋部分（１）の底部に設けられた給水口（４）を空けることにより、その二重となっている外側・内側間の空間に水を注入させ、浴槽内に沈めてバスライトとして利用することができる。
（載置型のバスライトとして）
上蓋部分（１）と台座部分（２）は完全な防水ができるように構成されている。浴室内の棚等に載置し、全体の照明を落せば、浴室内でリフィール柄の蝋燭の揺らぎに似た雰囲気が楽しめ将に幻想的かつ癒しの空間を提供することができる。
（各種リフィール柄を楽しむバスライトとして）
リフィール柄はその日の気分、部屋の雰囲気、あるいは好みによって取り替えることができるように構成されているため癒し効果は一層である。
【符号の説明】
【００１４】
１    上蓋部分
２    台座部分
３    内部容器体
４    注水口
５    窪み部分
６    上部蓋
７    重り
８    電池ボックス
９    基板カバー
１０  ＬＥＤライト
【図１】
0003157608.tif 000003
【図２】
0003157608.tif 000004
【図３】
0003157608.tif 000005